(57)【要約】【課題】  荒割した原石中の有用鉱物を含む部分を小割する石割機を提供する。【解決手段】  門形コラム１の下部中央に油圧ポンプ１０を立設し、油圧シリンダ１０のラム上端にプッシャ８を取付けると共に、コラム上部梁３にプッシャ８に対向するアンビル７を固着し、更に油圧シリンダ１０の基部側方に油圧シリンダ操作用の手動ポンプを設ける。プッシャ８上に荒割した鉱物原石３０を置いて油圧シリンダ１０を駆動し、プッシャ８とアンビル９との間で加圧することにより所定の鉱物または岩石を含む部分に小割することが可能である。【選択図】      図２
0003111818.tif 000002
【実用新案登録請求の範囲】
【請求項１】
門形コラムの下部中央に油圧ポンプを立設し、油圧シリンダのラム上端にプッシャを取付けると共に、コラム上部梁にプッシャに対向するアンビルを固着し、更に前記油圧シリンダの基部側方に油圧シリンダ操作用の手動ポンプを設けてなり、
前記プッシャ上に荒割した鉱物原石又は岩石を置いて油圧シリンダを駆動し、前記プッシャとアンビルとの間で加圧することにより所定の鉱物または岩石を含む部分に小割するようにしたことを特徴とする石割機。
【請求項２】
前記油圧シリンダは、周壁に油タンクを備え、前記手動ポンプはレバーの往復動作で前記油圧シリンダに圧油を圧送するように構成されており、かつ油圧シリンダにはアプローチ回路、リターン回路及びリリース回路を有し、前記手動ポンプのレバーの往復動作で油圧シリンダに圧油を圧送することによりラムを伸張させて前記プッシャを上昇させ、リリースバルブの操作によってプッシャを原位置に戻すように構成されている請求項１に記載の石割機。
【考案の詳細な説明】
【技術分野】
【０００１】
本考案は、荒割した鉱物原石又は岩石を小割して所定の鉱物、岩石または岩石片を含む部分を小割するようにした石割機に関する。.
【背景技術】
【０００２】
鉱物は均質な物質でほぼ一定の化学組成をもち、多くは結晶状態で独自の規則正しい配列の原子構造を保っており、大部分の鉱物は、地表では岩石の中に産出するが、ある空隙の表面に付着していたり、ほかの鉱物や岩石中にしみ込んでいたりすることもある。この鉱物を大規模に取得するには、所要の設備を整えて採掘し、砕石、選別して取り出すため、採取現場に大形破砕機、石割機の搬入等、多大な費用と労力を必要とする。しかし、研究ないし標本作製のために小規模に採取する場合には、採取現場で有用な鉱物、鉱石或いは岩石を採取し、これを手作業で１０〜１２ｃｍ又はそれ以上の塊に荒割して原石としたものを小割作業場や研究室等に運び、原石中の目的鉱物又は目的岩石を含む部分に小割して鉱物標本や装飾品素材を作製することが行われている。
【考案の開示】
【考案が解決しようとする課題】
【０００３】
上記のように、採取現場の大部分は機械的な破砕機の搬入が困難なため、大きな原石の所定の部分を選び、手作業によって、例えば１０〜１２ｃｍ角程度に荒割したものを袋詰めし運び出したのち作業場で小割しているため、現場に持ち込みやすく軽量で、小型の石割機の出現が望まれている。
本考案は、採取した鉱物原石を容易に小割できると共に、狭い場所での作業が可能で、騒音振動が少ない装置を提供することを目的とする。
【課題を解決するための手段】
【０００４】
上記目的を達成するため、本考案の請求項１は、門形コラムの下部中央に油圧ポンプを立設し、油圧シリンダのラム上端にプッシャを取付けると共に、コラム上部梁にプッシャに対向するアンビルを固着し、更に前記油圧シリンダの基部側方に油圧シリンダ操作用の手動ポンプを設けてなり、前記プッシャ上に荒割した鉱物原石を置いて油圧シリンダを駆動し、前記プッシャとアンビルとの間で加圧することにより所定の岩石または鉱物を含む部分に小割するようにしたことを特徴とする石割機である。
請求項２は、前記油圧シリンダが、周壁に油タンクを備え、前記手動ポンプはレバーの往復動作で前記油圧シリンダに圧油を圧送するように構成されており、かつ油圧シリンダにはアプローチ回路、リターン回路及びリリース回路を有し、前記手動ポンプのレバーの往復動作で油圧シリンダに圧油を圧送することによりラムを伸張させて前記プッシャを上昇させ、リリースバルブの操作によってプッシャを原位置に戻すように構成されていることを特徴とするものである。
【考案の効果】
【０００５】
本考案によれば、門形コラム内のプッシャ上に荒割した鉱物原石または岩石を置いて油圧シリンダを駆動し、プッシャとアンビルとの間で加圧することにより、所定の鉱物または目的岩石を含む部分に容易に小割することができる。また、小形の石割機で狭い場所でも作業が可能であり、軽量で運搬しやすく、分解組立ても可能であり故障のおそれもない。
【考案を実施するための最良の形態】
【０００６】
図１は本考案の石割機の正面図、図２は図１のＡ―Ａ線における断面図である。
図示のように、この石割機は、門形コラム１の下部中央にジャッキを構成するジャッキを構成する油圧シリンダ１０（例えば４トン）を立設し、ピストンロッドまたはラム１２の上端にプッシャ８を取付けると共に、コラムの梁部３に超硬合金製プッシャ８に対向するアンビル７を固着し、更に油圧シリンダ１０の基部側方に油圧シリンダ操作用の手動ポンプ２０を設けている。プッシャ８上に、例えば１０〜１２ｃｍ角ないし扁平塊状に荒割した鉱物原石３０を静置したのち、油圧シリンダ１０を駆動して、プッシャ８とアンビル７との間で加圧することにより、又はこれを複数回繰り返すことにより目的の鉱物または岩石を含む部分を破断して小割３１とするものである。
【０００７】
上記油圧シリンダ１０は、門形コラムのベース２に設けた底板４上に立置すると共に、その上部に水平のガイドプレート５を配置する。ガイドプレート５は、その長手方向両端に、対向するコラム縦材の内側を抱時する溝又は切欠き６、６を設けて上下方向移動自在に組付けられている。ガイドプレート５の上面中央には前記プッシャ（下刃）８を固着してコラム梁部３の下面に設けたアンビル（上刃）７に対向させる。また、プッシャ８の下面には油圧シリンダ１０のラム（ピストンロッド）１２の先端を係合させる外れ止め用のリング９を設けている。  
【０００８】
油圧シリンダ１０は、図４に示すように、周囲に油タンク１１となるケーシングを備え、油圧シリンダ１０内に嵌装したラム１２のピストン１３下部と油タンク１１との間に油圧回路を配管する。すなわち、油圧回路は、油圧シリンダ１０と油タンク１１の一方にサクションバルブ１５とデリバリバルブ１６を配したアプローチ回路１４を設け、他方にレバー１９付リリースバルブ１８を備えたリリース回路１７とで構成されている。また、油圧シリンダ１０側方の油圧ポンプ１８は、プランジャ２１の上端にピン２６を介してポンプ作動用レバー２２を取付け、該レバー２２の一端にピン２５に支点２３の支持されたロッド２４の上端を連結してなり、油圧ポンプ１８のシリンダ下底からアプローチ回路１４のサクションバルブ１５とデリバリバルブ１６との間に挿入する。
上記ポンプのレバー１９を上下に回動させることにより、油タンク１１から吸引されて昇圧した油がアプローチ回路１４を経て油圧シリンダ１０に送られることにより、ラム１２を上昇させてプッシャ８とアンビル７に挟まれ原石３０を加圧し小割する。小割が終了したとき、レバー１９を回動してリリースすることによってラム１２を原位置に復帰させて次の小割作業に備えるものである。  
【０００９】
次に、上記石割機の作用について説明する。図３に示すように、原石３０をプッシャ８上に載置したのち、レバー２２を上下に往復回動させてポンプ２０を作動し、油タンク１１内の油を吸引してアプローチ回路１４を経てシリンダ１０の下部に圧送すると、シリンダ１０内のラム１２の伸張によってガイドプレート５に固着されたプッシャ８が上昇し、アンビル７とプッシャ８との間で原石３０を加圧破砕して小割３１を得る。このように、プッシャ８はコラム１にガイドされたガイドプレート５に固着されているため、ラム１２の伸張によりプッシャ８を正確に上昇させて、アンビル７との間の原石３０を大きな圧力で破砕して容易に小割（図４）することができる。
【００１０】
上記のように、本考案によれば、門形コラム内のプッシャ上に荒割した鉱物原石またはを置いて油圧シリンダを駆動し、プッシャとアンビルとの間で加圧することにより、所定の鉱物または岩石を含む部分に容易に小割して鉱物標本や装飾品素材に供することができる。
【図面の簡単な説明】
【００１１】
【図１】本考案石割機の正面図。
【図２】図１のＡ―Ａ線における断面図。
【図３】本考案石割機の油圧回路図。
【図４】ラム上昇によって鉱物原石を小割した状態の正面図である。
【符号の説明】
【００１２】
１  門形コラム                      ２  ベース
３  梁部                            ４  底板
５  ガイドプレート                  ６  溝
７  上刃（アンビル）                ８  下刃（プッシャ）  
９  リング                          １０  油圧シリンダ
１１  油タンク                      １２  ラム（ピストンロッド）
１３  ピストン                      １４  アプローチ回路
１５  サクションバルブ              １６  デリバリバルブ
１７  リリース回路                  １８  リリースバルブ
１９  リリースレバー                ２０  ポンプ
２１  プランジャ                    ２２  操作レバー
２３  支点                          ２４  ロッド
２５、２６  ピン                    ３０  原石
３１  小割後の岩石
【図１】
0003111818.tif 000003
【図２】
0003111818.tif 000004
【図３】
0003111818.tif 000005
【図４】
0003111818.tif 000006